【事件の表示】
　特許第３１８４０７６号「ロールブラインドのクラッチ装置」の請求項１ないし４に係る特許に対する特許異議の申立てについて、次のとおり決定する。
【結　論】
　特許第３１８４０７６号の請求項１ないし４に係る特許を維持する。
【理　由】
１．本件発明
　特許第３１８４０７６号（平成７年１０月２６日出願、平成１３年４月２７日設定登録）の請求項１ないし４に係る発明（以下、本件発明１ないし４という。）は、その特許請求の範囲の請求項１ないし４に記載された事項により特定される次のとおりのものである。
「【請求項１】
　支持部材にスクリーンを巻き付けた巻取軸を回転可能に支持し、前記巻取軸内にはその巻取軸にスクリーン引き上げ方向の回転力を付与する駆動源を設け、前記巻取軸内には前記支持部材に固定された固定軸に制動体を支持し、前記固定軸に前記制動体と噛み合う係合歯を備えた被制動体を回転可能にかつ軸方向に移動可能に支持し、前記被制動体と巻取軸には巻取軸の回転に基づいて被制動体を回転させながら前記制動体に噛み合う位置と噛み合わない位置との間で往復動させるカム機構を設けて、前記被制動体が制動体に噛み合わないとき巻取軸を回転可能とするとともに、前記被制動体が制動体に噛み合うとき巻取軸の回転を阻止可能とし、前記制動体には、前記カム機構により被制動体が制動体と噛み合う位置から噛み合わない位置まで移動するために要する巻取軸の回転角度の範囲で、同制動体を巻取軸とともに回転可能とする回転許容手段を設けたことを特徴とするロールブラインドのクラッチ装置。
【請求項２】
　前記回転許容手段は、前記巻取軸との間で所定の摩擦を発生させて、前記制動体を巻取軸と一体に回転させる摩擦手段と、同制動体の所定角度の回転に基づいて前記固定軸に係合して、同制動体の回転を阻止する係合手段とで構成したことを特徴とする請求項１記載のロールブラインドのクラッチ装置。
【請求項３】
　前記摩擦手段は、前記巻取軸内に嵌着されたローテーターの内周面に沿って形成されたバネ片と、そのバネ片の先端部に設けられて、前記ローテーターの内周面に当接する突部とで構成したことを特徴とする請求項２記載のロールブラインドのクラッチ装置。
【請求項４】
　前記係合手段は、前記固定軸の外周面に所定角度の範囲で形成された切除部と、前記制動体の所定角度の回転に基づいて前記切除部の端部に当接する突起とで構成したことを特徴とする請求項２記載のロールブラインドのクラッチ装置。」
　
２．申立ての理由の概要
　申立人大東製機株式会社は、本件発明１ないし４が、その出願前の出願であって、その後に出願公開された特願平６−３３９１８０号の願書に最初に添付した明細書（特開平８ー１８４３２７号公報参照。以下、先願明細書という）に記載された発明と同一であり、しかも、本件発明１ないし４の発明者は上記先願明細書に記載された発明の発明者と同一でも、本件出願の時において、その出願人が上記他の出願の出願人と同一でもないので、本件発明１ないし４は、特許法第２９条の２の規定に違反して特許されたものである旨、主張している。
　
３．先願明細書記載の発明
　先願明細書には、次のことが記載されている。
「【０００１】
　　【産業上の利用分野】
　本発明は、機械的なクラッチ機構及びそれを備えたロールスクリーン装置に関するものである。」、
「【００１２】
　　【実施例】
　以下、図面を参照して本発明の実施例を説明する。図１には本発明に係るクラッチ機構を備えたロールスクリーン装置の全体の外観が示されており、１は巻取筒、２はその巻取筒１に取着されたロールスクリーン、３はそのスクリーン２の引出端に取付けられたボトムバー、４，５は該巻取筒１の両端部をそれぞれ回転自在に支持する支持手段を構成する支持部である。・・・」、
「【００２０】
　第２のクラッチ部材２１は、図６にも示すようにシリンダ状をなし、ステータ８の軸部８ｃに嵌め込まれている。この軸部８ｃは、図６（ｃ）に示すように第２のクラッチ部材２１と嵌合する外周領域に所定角度範囲にわたる扇状の切欠２６が形成され、この切欠２６の部分に第２のクラッチ部材２１の内周壁より一体に突設した突起２１ａと係合する構成となっている。従って、第２のクラッチ部材２１は、この切欠２６内で突起２１ａが回動できる範囲のみステータ８に対して相対回転できるが、その切欠２６による遊びの範囲外ではステータ８によって回転が規制される。
　【００２１】
　第２のクラッチ部材２１には、その一側縁の全周にわたって等間隔で４つのクラッチ係合歯２１ｂが一体に形成され、図２に示すように第１のクラッチ部材２０のクラッチ係合歯２０ａと対向状態で配置されている。又、第２のクラッチ部材２１には図６（ｃ）でも示すように該部材２１の円弧に沿って湾曲した弾性係合部片２１ｃが一体に形成され、この弾性係合部片２１ｃが図２に示すようにロータ９の内周壁面に摺接しロータ９に対して摺動摩擦を増大させ、前述の切欠２６の遊び範囲では、該第２のクラッチ部材２１がロータ９と一緒に回転する、いわゆる共回りの構成となっている。」、
「【００２２】
　以上のような構成のクラッチ機構１０のクラッチ動作をロールスクリーン２の巻取、引出の操作と関連して以下説明する。ロールスクリーン２がねじりコイルスプリング１７の付勢によって巻取筒１上に巻上げられた位置（第１の位置）において、カムフオロア２５は図４（ａ）に示すようにカム溝２３内の位置２５ａにあり、この第１の位置よりボトムバー３を引張ってロールスクリーン２を引出すように下方に作動力を付与すると、巻取筒１及び第１のクラッチ部材２１はスプリング１７の付勢力に抗して回転し、図４（ａ）に矢印３０で示すようにカムフオロア２５がカム溝２３の軌道２３ａを通って位置２５ｂに達する。この間、カム部材２２は弾性係合部片２２ｂの摩擦によりステータ８と相対回転しない状態に保たれる。
【００２３】
　カムフオロア２５が位置２５ｂに達した後は、ロールスクリーン２が所望の任意の引出位置（第２の位置）に引出されるまでカム部材２２が第１のクラッチ部材２０と一緒にステータ８と相対的に回転する。ここで引出し方向の作動力の解放、すなわち、操作者がボトムバー３より手を離すと、スプリング１７の付勢力によってロータ９とともに第１のクラッチ部材２０が付勢方向に回転し、この動作によりカムフオロア２５が位置２５ｂより矢印３１で示すごとくカム溝２３の他の軌道２３ｂを通って位置２３ｃに達する。そして、この移動の間、カム溝２３の構成によって、第１のクラッチ部材２０は軸方向に第２のクラッチ部材２１に向ってスライド移動させられることとなり、この結果、位置２５ｃでは、図７に矢印で示すごとく第１及び第２のクラッチ部材２０，２１のクラッチ係合歯２０ａ，２１ｂが相互に係合し、クラッチ係合状態を呈し、第１のクラッチ部材２０及びロータ９の回転がスプリング１７の付勢力に抗して停止される。これにより、ロールスクリーン２は第２の位置に停止する。・・・」、
「【００２６】
　ロールスクリーン２を第２の位置より第１の位置へ巻上げる場合には、第２の位置においてボトムバー３にスプリング１７に抗して若干、引き下げ方向に作動力を加える。これによりカムフオロア２５は位置２５ｃに矢印３２で示すごとく、カム溝２３の他の軌道２３ｃを通って、位置２５ｄに達する。この間、カム部材２２はステータ８との摩擦によって回転しない状態を保つ。ここでボトムバー３に加えた引き下げ方向の作動力を解放すると、カムフオロア２５はスプリング１７の付勢力によって矢印３３で示すごとく更に異なるカム溝の軌道２３ｄを通って元の位置２５ａに達し、以後はロールスクリーン２が第１の位置まで巻上げられるまで、第１のクラッチ部材２０がカム部材２２と一緒にステータ８と相対的に巻上げ方向に回転を継続する。」。
　
　したがって、先願明細書記載の発明は、「支持部４、５にスクリーンを巻き付けた巻取筒１を回転可能に支持し、前記巻取筒１内にはその巻取筒１にスクリーン引き上げ方向の回転力を付与するねじりコイルスプリング１７を設け、前記巻取筒１内には前記支持部４、５に固定されたステータ８に第２のクラッチ部材２１を支持し、前記ステータ８に前記第２のクラッチ部材２１と噛み合う係合歯を備えた第１のクラッチ部材２０を回転可能にかつ軸方向に移動可能に支持し、巻取筒１の回転に基づいて第１のクラッチ部材２０を回転させながら前記第２のクラッチ部材２１に噛み合う位置と噛み合わない位置との間で往復動させるカム機構を設け、該カム機構は、第１のクラッチ部材２０の内周にカムフォロア２５を設け、ステータ８に摺動回転可能なカム部材２２の外周に、カム溝２３を設けることによって構成し、前記第１のクラッチ部材２０が第２のクラッチ部材２１に噛み合わないとき巻取筒１を回転可能とするとともに、前記第１のクラッチ部材２０が第２のクラッチ部材２１に噛み合うとき巻取筒１の回転を阻止可能とし、前記第２のクラッチ部材２１には、前記カム機構により第１のクラッチ部材２０が第２のクラッチ部材２１と噛み合う位置から噛み合わない位置まで移動するために要する巻取筒１の回転角度の範囲で、同第２のクラッチ部材２１を巻取筒１とともに回転可能とする弾性係合部片２１ｃ、突起２１ａ及び切欠２６を設けたことを特徴とするロールスクリーン装置のクラッチ機構」にあるものと認められる。
　
４．対比・判断
　本件発明１と先願明細書記載の発明（以下、先願発明という。）とを対比すると、先願発明の「支持部４、５」、「巻取筒１」、「ねじりコイルスプリング１７」、「ステータ８」、「第２のクラッチ部材２１」、「第１のクラッチ部材２０」、「弾性係合部片２１ｃ、突起２１ａ及び切欠２６」、「ロールスクリーン装置」及び「クラッチ機構」が、本件発明１の「支持部材」、「巻取軸」、「駆動源」、「固定軸」、「制動体」、「被制動体」、「回転許容手段」、「ロールブラインド」及び「クラッチ装置」に相当するから、
　両者は、支持部材にスクリーンを巻き付けた巻取軸を回転可能に支持し、前記巻取軸内にはその巻取軸にスクリーン引き上げ方向の回転力を付与する駆動源を設け、前記巻取軸内には前記支持部材に固定された固定軸に制動体を支持し、前記固定軸に前記制動体と噛み合う係合歯を備えた被制動体を回転可能にかつ軸方向に移動可能に支持し、巻取軸の回転に基づいて被制動体を回転させながら前記制動体に噛み合う位置と噛み合わない位置との間で往復動させるカム機構を設けて、前記被制動体が制動体に噛み合わないとき巻取軸を回転可能とするとともに、前記被制動体が制動体に噛み合うとき巻取軸の回転を阻止可能とし、前記制動体には、前記カム機構により被制動体が制動体と噛み合う位置から噛み合わない位置まで移動するために要する巻取軸の回転角度の範囲で、同制動体を巻取軸とともに回転可能とする回転許容手段を設けたロールブラインドのクラッチ装置である点で一致する。
　しかしながら、本件発明１は、上記カム機構を、被制動体と巻取軸に設けたのに対し、先願発明は第１のクラッチ部材２０（本件発明１の被制動体が相当）の内周にカムフォロア２５を設け、ステータ８（本件発明１の固定軸が相当）に摺動回転可能なカム部材２２（本件発明の実施例のスペーサ２０が相当）の外周に、カム溝２３を設けることによって、カム機構を構成した点、すなわち、先願発明は、上記カム機構を、被制動体と固定軸との間に設けた点で相違する。
　したがって、本件発明１は、先願発明と同一ではない。
　また、本件発明２ないし４は、本件発明１を引用したものであるから、本件発明１と同様に、先願発明と同一でない。
　以上のとおりであるから、特許異議の申立ての理由によっては本件発明１ないし４についての特許を取り消すことはできない。
　また、他に本件発明１ないし４についての特許を取り消すべき理由を発見しない。
　よって、結論のとおり決定する。
【異議決定日】
平成１４年４月１９日（２００２．４．１９）